(57)【要約】【課題】見る方向によって２色以上に色が変化する編地を提供する。【解決手段】編地１は、ウエルトとニットが繰り返され裏地編成部７０と、第１表糸及び第２表糸が連続してニットされる第１表糸編成部８０と、第３表糸及び第４表糸が連続してニットされる複数の第２表糸編成部９０と、を有する。編地１では、裏地編成部７０と第１表糸編成部８０とをコース方向に編成した第１レピート部３と、裏地編成部７０と第２表糸編成部９０とをコース方向に編成した第２レピート部５とを有し、第１レピート部３と第２レピート部５とがコース方向に交互に編成されている。第１レピート部３は、タックが、コース方向に対して傾いた第１傾斜線に沿って配置されるように編成され、第２レピート部５は、タックが、第１傾斜線と連続する第２傾斜線であって、第１傾斜線とは逆方向に傾いた第２傾斜線に沿って配置されるように編成されている。【選択図】  図１
2018193625.tif 000002
【特許請求の範囲】
【請求項１】
裏糸で形成される裏地部と、表糸で形成される表地部の二層構造の編地であって、
前記裏糸がウエール方向に所定回数交互にウエルト及びニットされる毎に、前記裏糸が前記表地部に引っ掛けられている複数の裏地編成部と、
第１表糸及び第２表糸がウエール方向に所定回数ずつニットされる毎に、前記裏糸が引っ掛けられる複数の第１表糸編成部と、
第３表糸及び第４表糸がウエール方向に所定回数ずつニットされる毎に、前記裏糸が引っ掛けられる複数の第２表糸編成部と、
を備え、
前記各裏糸編成部と前記各第１表糸編成部とがそれぞれコース方向に編成されることによって前記裏地部と第１表地部とが形成された第１レピート部と、
前記各裏糸編成部と前記各第２表糸編成部とがそれぞれコース方向に編成されることによって前記裏地部と第２表地部とが形成された第２レピート部と、
を有し、
前記第１レピート部と前記第２レピート部とがコース方向に繰り返し編成され、
前記第１レピート部は、
前記裏糸を前記第１表地部に引っ掛ける各引掛部が、コース方向に対して傾いた第１傾斜線に沿って配置されるように編成され、
前記第２レピート部は、
前記裏糸を前記第２表地部に引っ掛ける各引掛部が、前記第１傾斜線と連続する第２傾斜線であって、前記第１傾斜線とは逆方向に傾いた第２傾斜線に沿って配置されるように編成されていることを特徴とする編地。
【請求項２】
請求項１に記載の編地において、
前記各引掛部は、
タックによって裏糸が前記第１表地部又は前記第２表地部に引っ掛けられていることを特徴とする編地。
【請求項３】
請求項１又は請求項２に記載の編地において、
前記第１表糸、前記第２表糸、前記第３表糸及び前記第４表糸は、互いに異なる色の糸であることを特徴とする編地。
【発明の詳細な説明】
【技術分野】
【０００１】
本発明は、編地に関する。
【背景技術】
【０００２】
見る方向によって色が変化する編地がある。
この編地としては、例えば、基部と、この基部上に編み立て方向に沿って相互に平行に形成された複数の凸条部とを有する編地がある（例えば、特許文献１参照）。この編地は、凸条部が、編み立て方向に沿って延びた編み列からなる頂部を備えている。また、この編地は、編み立て方向に沿って延び、基部側が基部に編み込まれるとともに、頂部側が頂部に係止され、基部と頂部とを連結するように編成された編み列からなる２つの側壁部を備えている。そして、これら頂部及び２つの側壁部のうち、少なくとも１つの部位は、他の部位と異なる色が配置されている。
【０００３】
この編地は、少なくとも２色に配色されているので、例えば、各側壁部を異なる色に配色すれば、見る方向によって異なる２色に見える。
【先行技術文献】
【特許文献】
【０００４】
【特許文献１】特開２０１７−１４６７６号公報
【発明の概要】
【発明が解決しようとする課題】
【０００５】
しかし、背景技術に記載した編地であっても、色は、多くて３色である。しかも頂部はどこからでも見えるので、見る方向によって変わる色は、実質的には２色と考えられる。
本発明は、見る方向によって２色以上に色が変化する編地を提供することを目的とする。
【課題を解決するための手段】
【０００６】
（１）本発明の編地は、
裏糸で形成される裏地部と、表糸で形成される表地部の二層構造の編地であって、前記裏糸がウエール方向に所定回数交互にウエルト及びニットされる毎に、前記裏糸が前記表地部に引っ掛けられている複数の裏地編成部と、第１表糸及び第２表糸がウエール方向に所定回数ずつニットされる毎に、前記裏糸が引っ掛けられる複数の第１表糸編成部と、第３表糸及び第４表糸がウエール方向に所定回数ずつニットされる毎に、前記裏糸が引っ掛けられる複数の第２表糸編成部と、を備え、前記各裏糸編成部と前記各第１表糸編成部とがそれぞれコース方向に編成されることによって前記裏地部と第１表地部とが形成された第１レピート部と、前記各裏糸編成部と前記各第２表糸編成部とがそれぞれコース方向に編成されることによって前記裏地部と第２表地部とが形成された第２レピート部と、を有し、前記第１レピート部と前記第２レピート部とがコース方向に繰り返し編成され、前記第１レピート部は、前記裏糸を前記第１表地部に引っ掛ける各引掛部が、コース方向に対して傾いた第１傾斜線に沿って配置されるように編成され、前記第２レピート部は、前記裏糸を前記第２表地部に引っ掛ける各引掛部が、前記第１傾斜線と連続する第２傾斜線であって、前記第１傾斜線とは逆方向に傾いた第２傾斜線に沿って配置されるように編成されている。
【０００７】
本発明の編地を構成する裏地部は、裏地編成部が、ウエルトとニットをウエール方向に交互行った構成なので、編み終わった後、ニットした部分が互いに近づいてウェール方向に縮む。一方、本発明の編地の表地部は、第１表糸編成部及び第２表糸編成部が、いずれも連続してニットしたものなので、裏地編成部がウエール方向に縮むと、裏地部を表地部に引っ掛けているウエール方向に並んだ引掛部間の中央部分が立ち上がる。
【０００８】
また、本発明の編地は、第１レピート部では、コース方向に対して傾いた第１傾斜線に沿って引掛部が並び、第２レピート部では、第１傾斜線とは逆方向に傾いた第２傾斜線に沿って引掛部が並ぶので、表地部の中で立ち上がった頂点部分も、第１傾斜線又は第２傾斜線に沿って並ぶ。しかも、第１傾斜線及び第２傾斜線は連続している。そのため、本発明の編地は、編み上がると、表地部の中で立ち上がった頂点部分が、第１傾斜線及び第２傾斜線に沿ってジグザグに並ぶ。
【０００９】
しかも、本発明の編地は、第１表糸編成部のうちウエール方向に並んだ各引掛部間が、第１表糸と第２表糸とで半分ずつ編成されているので、第１傾斜線に沿って並んだ頂点部分の両側に第１表糸で形成された傾斜面と、第２表糸で形成された傾斜面とが形成されることになる。
【００１０】
同様に、本発明の編地は、第２表糸編成部のうちウエール方向に並んだ各引掛部間が、第３表糸と第４表糸とで半分ずつ編成されているので、第２傾斜線に沿って並んだ頂点部分の両側に第３表糸で形成された傾斜面と、第４表糸で形成された傾斜面とが形成されることになる。
【００１１】
したがって、本発明の編地は、例えば、第１〜第４の表糸として異なる色の糸を用いれば、各表糸で形成された各傾斜面に対向する位置から見た場合、４色に変化するので、多彩な色彩感覚を観者に与えることができる。
【００１２】
また、本発明の編地は、例えば、第１〜第４の表糸として異なる模様の杢糸を用いれば、各表糸で形成された各傾斜面に対向する位置から見た場合、４つ模様に変化するので、多様な模様感覚を観者に与えることができる。
【００１３】
さらに、本発明の編地は、例えば、第１〜第４の表糸として異なる光沢の色を用いれば、各表糸で形成された各傾斜面に対向する位置から見た場合、４つ光沢に変化するので、多様な光沢感覚を観者に与えることができる。
【００１４】
（２）各引掛部は、タックによって裏糸が第１表地部又は第２表地部に引っ掛けられていてもよい。タックで引っ掛かれば、編地が編み上がった後、表側から裏糸が見えにくいからである。なお、各引掛部では、ニットによって裏糸を表側に引っ掛けてもよい。
【００１５】
（３）第１表糸、第２表糸、第３表糸及び第４表糸は、互いに異なる色の糸であってもよい。これらの糸の色が異なれば、各表糸に対向する位置から見れば、４色に色が変化するので、多彩な色彩感覚を観者に与えることができる。
【００１６】
なお、第１表糸、第２表糸、第３表糸及び第４表糸は、少なくとも２色で構成されているとよい。
【図面の簡単な説明】
【００１７】
【図１】実施形態の編地を編成する編成方法を説明するための説明図である。
【図２】実施形態の編地を編成する編成方法を説明するための説明図である。
【図３】実施形態の編地を編成した後の様子を説明するための説明図である。
【図４】実施形態の編地を編成した後の様子を説明するための説明図である。
【図５】（ａ）実施形態の編地を模式的に示した平面図である。
【００１８】
（ｂ）（ａ）のｂ−ｂ断面図である。
（ｃ）（ａ）のｃ−ｃ断面図である。
【発明を実施するための形態】
【００１９】
以下に本発明の例示的な実施形態について図面を参照しながら説明する。
１）本実施形態の編地の構造
１−１）全体説明
以下では、本実施形態の編地１を編成する方法について説明することで、本実施形態の編地１の構造について説明する。
【００２０】
本実施形態の編地１は、丸編機で編成される。そのため、図１及び図２はいずれも、丸編機で編成するときの編成方法を示している。
本実施形態の編地１は、図１に示す第１レピート部３と、図２に示す第２レピート部５とがコース方向に交互に編成された編地である。
【００２１】
第１レピート部３は、図１に示すように、コース方向（図１の上下方向）に１Ｆ〜１８Ｆの段階を経て編成され、第２レピート部５は、図２に示すように、コース方向（図２の上下方向）に１９Ｆ〜３６Ｆの段階を経て編成される。なお、本実施形態の編地１は、丸編機で下の段階から順に編成されるため、図１及び図２では、一番下が最も若い番号の段階になっている。
【００２２】
本実施形態の編地１を編成する丸編機は、ウエール方向（図１及び図２の左右方向）に裏表とも２４００の編目の編地を編成することが可能な編み機である。しかし、図１及び図２では、編地１の２４００の編目の一部である１６個半の編目を示している。
【００２３】
また、本実施形態の編地１は、裏地部７と表地部８，９とを有するため、図１及び図２では各段階をダイヤル側とシリンダ側に分け、ダイヤル側（上段側）で裏地部７の編成方法を示し、シリンダ側（下段側）で表地部８，９の編成方法を示している。裏地部７と表地部８，９とは、編目を半個分だけずらして編まれるので、図１及び図２では、ダイヤル側の編目のうち、ウエール方向の右端の編目についてだけ半個分の編目で表し、シリンダ側の編目のうち、ウエール方向の左端の編目についてだけ半個分の編目で表している。ダイヤル側の編目もシリンダ側の編目も、半個分の編目を除き、左側から順に１番から１６番目の編目として以下説明する。
【００２４】
なお、本実施形態の編地１は、表地部８，９が２種類あり、第１レピート部３の表地部を第１表地部８、第２レピート部５の表地部を第２表地部９と以下呼ぶ。
１−２）第１レピート部３
１−２−１）裏地部７
本実施形態の編地１の第１レピート部３では、裏地部７が、下記に示す６つの段階で、ウエール方向に裏糸１８を編成し、各段階の裏糸１８をコース方向にも編成することで形成される。
【００２５】
裏地部７は、図１に示すように、第１段階（１Ｆ）と、第４段階（４Ｆ）と、第７段階（７Ｆ）と、第１０段階（１０Ｆ）と、第１３段階（１３Ｆ）と、第１６段階（１６Ｆ）とで、ウエール方向に黒色の裏糸１８を用いて編成される。裏糸１８は、図中では、実線で示している。
【００２６】
第１段階（１Ｆ）の裏地部７を編成する裏糸１８は、ダイヤル側の１番，３番，５番，７番，９番，１１番，１３番，１５番の編目でニットされ、２番，４番，６番，８番，１０番，１２番，１４番，１６番の編目でウエルトされ、第１表地部８側の１番及び９番の編目にタックが入れられて裏地編成部７０を編成する。
【００２７】
第４段階（４Ｆ）の裏地部７を編成する裏糸１８は、ダイヤル側の２番，４番，６番，８番，１０番，１２番，１４番，１６番の編目でニットされ、１番，３番，５番，７番，９番，１１番，１３番，１５番の編目でウエルトされ、第１表地部８側の２番及び１０番の編目にタックが入れられて裏地編成部７０を編成する。
【００２８】
第７段階（７Ｆ）の裏地部７を編成する裏糸１８は、ダイヤル側の１番，３番，５番，７番，９番，１１番，１３番，１５番の編目でニットされ、２番，４番，６番，８番，１０番，１２番，１４番，１６番の編目でウエルトされ、第１表地部８側の３番及び１１番の編目にタックが入れられて裏地編成部７０を編成する。
【００２９】
第１０段階（１０Ｆ）の裏地部７を編成する裏糸１８は、ダイヤル側の２番，４番，６番，８番，１０番，１２番，１４番，１６番の編目でニットされ、１番，３番，５番，７番，９番，１１番，１３番，１５番の編目でウエルトされ、第１表地部８側の４番及び１２番の編目にタックが入れられて裏地編成部７０を編成する。
【００３０】
第１３段階（１３Ｆ）の裏地部７を編成する裏糸１８は、ダイヤル側の１番，３番，５番，７番，９番，１１番，１３番，１５番の編目でニットされ、２番，４番，６番，８番，１０番，１２番，１４番，１６番の編目でウエルトされ、第１表地部８側の５番及び１３番の編目にタックが入れられて裏地編成部７０を編成する。
【００３１】
第１６段階（１６Ｆ）の裏地部７を編成する裏糸１８は、ダイヤル側の２番，４番，６番，８番，１０番，１２番，１４番，１６番の編目でニットされ、１番，３番，５番，７番，９番，１１番，１３番，１５番の編目でウエルトされ、第１表地部８側の６番及び１４番の編目にタックが入れられて裏地編成部７０を編成する。
【００３２】
このように、裏地部７は、各段階で、タックと、このタックに引き続いて４回交互に繰り返されるウエルト及びニットとを繰返単位として、裏糸をウエール方向に繰り返し編成して、それぞれ裏地編成部７０を形成し、これら各段階の裏地編成部７０をコース方向に編成することで形成される。
【００３３】
また、裏地部７では各段階で複数のタックがなされているが、本実施形態の編地１は、これらタックによって裏地部７と第１表地部８側とを互いに引っ掛けることで、裏地部７と第１表地部８との二層構造の編み地を構成している。
【００３４】
さらに、第１レピート部３では、各裏地部７の各段階でなされる各タックが、第１段階（１Ｆ）では、第１表地部８側の１番及び９番の編目でなされ、第４段階（４Ｆ）では、第１表地部８側の２番及び１０番の編目でなされ、第７段階（７Ｆ）では、第１表地部８側の３番及び１１番の編目でなされ、第１０段階（１０Ｆ）では、第１表地部８側の４番及び１２番の編目でなされ、第１３段階（１３Ｆ）では、第１表地部８側の５番及び１３番の編目でなされ、第１６段階（１６Ｆ）では、第１表地部８側の６番及び１４番の編目でなされることにより、コース方向に対して傾いた第１傾斜線３０に沿って配置されるように編成されている。
【００３５】
１−２−２）第１表地部８
本実施形態の編地１の第１レピート部３では、第１表地部８が、下記に示す１２つの段階で、ウエール方向に第１表糸１０及び第２表糸１２を編成し、各段階の第１表糸１０及び第２表糸１２をコース方向にも編成することで形成される。第１表糸１０は図中では一点鎖線で表される。第２表糸１２は図中では点線で表される。
【００３６】
第１表地部８は、第２段階（２Ｆ）と、第５段階（５Ｆ）と、第８段階（８Ｆ）と、第１１段階（１１Ｆ）と、第１４段階（１４Ｆ）と、第１７段階（１７Ｆ）とで、ウエール方向に赤色の第１表糸１０が編成されることにより形成される。
【００３７】
また、第１表地部８は、第３段階（３Ｆ）と、第６段階（６Ｆ）と、第９段階（９Ｆ）と、第１２段階（１２Ｆ）と、第１５段階（１５Ｆ）と、第１８段階（１８Ｆ）とで、ウエール方向に緑色の第２表糸１２が編成されることにより形成される。
【００３８】
第２段階（２Ｆ）の第１表地部８を編成する第１表糸１０が、シリンダ側の１番〜４番、９番〜１２番の編目でニットされ、５番〜８番、１３番〜１６番の編目でウエルトされて、第３段階（３Ｆ）の第１表地部８を編成する第２表糸１２が、シリンダ側の５番〜８番、１３番〜１６番の編目でニットされ、１番〜４番、９番〜１２番の編目でウエルトされて、第２表糸１２による第１表糸編成部８０を編成する。
【００３９】
第５段階（５Ｆ）の第１表地部８を編成する第１表糸１０が、シリンダ側の２番〜５番、１０番〜１３番の編目でニットされ、１番、６番〜９番、１４番〜１６番の編目でウエルトされて、第６段階（６Ｆ）の第１表地部８を編成する第２表糸１２が、シリンダ側の１番、６番〜９番、１４番〜１６番の編目でニットされ、２番〜５番、１０番〜１３番の編目でウエルトされて、第２表糸１２による第１表糸編成部８０を編成する。
【００４０】
第８段階（８Ｆ）の第１表地部８を編成する第１表糸１０が、シリンダ側の３番〜６番、１１番〜１４番の編目でニットされ、１番〜２番、７番〜１０番、１５番〜１６番の編目でウエルトされて、第９段階（９Ｆ）の第１表地部８を編成する第２表糸１２が、シリンダ側の１番〜２番、７番〜１０番、１５番〜１６番の編目でニットされ、３番〜６番、１１番〜１４番の編目でウエルトされて、第２表糸１２による第１表糸編成部８０を編成する。
【００４１】
第１１段階（１１Ｆ）の第１表地部８を編成する第１表糸１０が、シリンダ側の４番〜７番、１２番〜１５番の編目でニットされ、１番〜３番、８番〜１１番、１６番の編目でウエルトされて、第１２段階（１２Ｆ）の第１表地部８を編成する第２表糸１２が、シリンダ側の１番〜３番、８番〜１１番、１６番の編目でニットされ、４番〜７番、１２番〜１５番の編目でウエルトされて、第２表糸１２による第１表糸編成部８０を編成する。
【００４２】
第１４段階（１４Ｆ）の第１表地部８を編成する第１表糸１０が、シリンダ側の５番〜８番、１３番〜１６番の編目でニットされ、１番〜４番、９番〜１２番の編目でウエルトされ、第１５段階（１５Ｆ）の第１表地部８を編成する第２表糸１２が、シリンダ側の１番〜４番、９番〜１２番の編目でニットされ、５番〜８番、１３番〜１６番の編目でウエルトされて、第２表糸１２による第１表糸編成部８０を編成する。
【００４３】
第１７段階（１７Ｆ）の第１表地部８を編成する第１表糸１０が、シリンダ側の１番、６番〜９番、１４番〜１６番の編目でニットされ、２番〜５番、１０番〜１３番の編目でウエルトされ、第１８段階（１８Ｆ）の第１表地部８を編成する第２表糸１２が、シリンダ側の２番〜５番、１０番〜１３番の編目でニットされ、１番、６番〜９番、１４番〜１６番の編目でウエルトされて、第２表糸１２による第１表糸編成部８０を編成する。
【００４４】
このように、第１表地部８は、４回連続してニットした第１表糸１０と、第１表糸１０に連続して４回連続してニットした第２表糸１２とを繰返単位として、第１表糸１０及び第２表糸１２をウェール方向に繰り返し編成して、それぞれ第１表糸編成部８０を形成し、これら各段階の第１表糸編成部８０をコース方向に編成することで形成される。
【００４５】
なお、第１表地部８において、４回連続してニットした第１表糸１０と、第１表糸１０に連続して４回連続してニットした第２表糸１２とを繰返単位とした理由は、裏地編成部７０の繰返単位と同じ長さ編成した部分を繰返単位とするためである。
【００４６】
１−２−３）第１レピート部３の全体構造
本実施形態では、第１レピート部３は、ウエール方向に各裏地編成部７０と各第１表糸編成部８０とを編成しながら、各裏地編成部７０と各第１表糸編成部８０とをそれぞれコース方向に編成することで、裏地部７及び第１表地部８が編成される。
【００４７】
１−３）第２レピート部５
１−３−１）裏地部７
本実施形態の編地１の第２レピート部５の裏地部７は、第１レピート部３の裏地部７に続いて形成される。
【００４８】
本実施形態の編地１の第２レピート部５の裏地部７は、下記に示す６つの段階で、ウエール方向に裏糸１８を編成し、各段階の裏糸１８をコース方向にも編成することで形成される。
【００４９】
裏地部７は、図２に示すように、第１９段階（１９Ｆ）と、第２２段階（２２Ｆ）と、第２５段階（２５Ｆ）と、第２８段階（２８Ｆ）と、第３１段階（３１Ｆ）と、第３４段階（３４Ｆ）とで、ウエール方向に黒色の裏糸１８が編成される。
【００５０】
第１９段階（１９Ｆ）の裏地部７を編成する裏糸１８は、ダイヤル側の１番，３番，５番，７番，９番，１１番，１３番，１５番の編目でニットされ、２番，４番，６番，８番，１０番，１２番，１４番，１６番の編目でウエルトされ、第１表地部８側の７番及び１５番の編目にタックが入れられて裏地編成部７０が編成される。
【００５１】
第２２段階（２２Ｆ）の裏地部７を編成する裏糸１８は、ダイヤル側の２番，４番，６番，８番，１０番，１２番，１４番，１６番の編目でニットされ、１番，３番，５番，７番，９番，１１番，１３番，１５番の編目でウエルトされ、第１表地部８側の６番及び１４番の編目にタックが入れられて裏地編成部７０が編成される。
【００５２】
第２５段階（２５Ｆ）の裏地部７を編成する裏糸１８は、ダイヤル側の１番，３番，５番，７番，９番，１１番，１３番，１５番の編目でニットされ、２番，４番，６番，８番，１０番，１２番，１４番，１６番の編目でウエルトされ、第１表地部８側の５番及び１３番の編目にタックが入れられて裏地編成部７０が編成される。
【００５３】
第２８段階（２８Ｆ）の裏地部７を編成する裏糸１８は、ダイヤル側の２番，４番，６番，８番，１０番，１２番，１４番，１６番の編目でニットされ、１番，３番，５番，７番，９番，１１番，１３番，１５番の編目でウエルトされ、第１表地部８側の４番及び１２番の編目にタックが入れられて裏地編成部７０が編成される。
【００５４】
第３１段階（３１Ｆ）の裏地部７を編成する裏糸１８は、ダイヤル側の１番，３番，５番，７番，９番，１１番，１３番，１５番の編目でニットされ、２番，４番，６番，８番，１０番，１２番，１４番，１６番の編目でウエルトされ、第１表地部８側の３番及び１１番の編目にタックが入れられて裏地編成部７０が編成される。
【００５５】
第３４段階（３４Ｆ）の裏地部７を編成する裏糸１８は、ダイヤル側の２番，４番，６番，８番，１０番，１２番，１４番，１６番の編目でニットされ、１番，３番，５番，７番，９番，１１番，１３番，１５番の編目でウエルトされ、第１表地部８側の２番及び１０番の編目にタックが入れられて裏地編成部７０が編成される。
【００５６】
このように、裏地部７は、第２レピート部５の裏地部７と同様、各段階で、タックと、このタックに引き続いて４回交互に繰り返されるウエルト及びニットとを繰返単位として、裏糸をウエール方向に繰り返し編成して、それぞれ裏地編成部７０を形成し、これら各段階の裏地編成部７０をコース方向に編成することで形成される。
【００５７】
また、裏地部７では各段階で複数のタックがなされているが、本実施形態の編地１は、これらタックによって裏地部７と第２表地部９側とを互いに引っ掛けることで、裏地部７と第２表地部９との二層構造の編み地を構成している。
【００５８】
さらに、第２レピート部５では、各裏地部７の各段階でなされる各タックが、第１９段階（１９Ｆ）では、第１表地部８側の９番及び１５番の編目でなされ、第２２段階（２２Ｆ）では、第１表地部８側の８番及び１４番の編目でなされ、第２５段階（２５Ｆ）では、第１表地部８側の７番及び１３番の編目でなされ、第２８段階（２８Ｆ）では、第１表地部８側の４番及び１２番の編目でなされ、第３１段階（３１Ｆ）では、第１表地部８側の３番及び１１番の編目でなされ、第３４段階（３４Ｆ）では、第１表地部８側の２番及び１０番の編目でなされることにより、コース方向に対して第１傾斜線３０とは逆方向に傾いた第２傾斜線５０に沿って配置されるように編成されている。
【００５９】
１−３−２）第２表地部９
本実施形態の編地１の第１レピート部３では、第１表地部８が、下記に示す１２の段階で、ウエール方向に第３表糸１４及び第４表糸１６を編成し、各段階の第３表糸１４及び第４表糸１６をコース方向にも編成することで形成される。
【００６０】
第１表地部８は、第２０段階（２０Ｆ）と、第２３段階（２３Ｆ）と、第２６段階（２６Ｆ）と、第２９段階（２９Ｆ）と、第３２段階（３２Ｆ）と、第３５段階（３５Ｆ）とで、ウエール方向に黄色の第３表糸１４が編成されることにより形成される。第３表糸１４は図中では太い点線で示している。
【００６１】
また、第１表地部８は、第２１段階（２１Ｆ）と、第２４段階（２４Ｆ）と、第２７段階（２７Ｆ）と、第３０段階（３０Ｆ）と、第３３段階（３３Ｆ）と、第３６段階（３６Ｆ）とで、ウエール方向に青色の第４表糸１６が編成されることにより形成される。第４表糸１６は図中では二点鎖線で示している。
【００６２】
第２０段階（２０Ｆ）の第２表地部９を編成する第３表糸１４が、シリンダ側の１番〜２番、７番〜１０番、１５番〜１６番の編目でニットされ、３番〜６番、１１番〜１４番の編目でウエルトされて、第２１段階（２１Ｆ）の第２表地部９を編成する第４表糸１６が、シリンダ側の３番〜６番、１１番〜１４番の編目でニットされ、１番〜２番、７番〜１０番、１５番〜１６番の編目でウエルトされて、第４表糸１６による第２表糸編成部９０を編成する。
【００６３】
第２３段階（２３Ｆ）の第２表地部９を編成する第３表糸１４が、シリンダ側の１番、６番〜９番、１４番〜１６番の編目でニットされ、２番〜５番、１０番〜１３番の編目でウエルトされて、第２４段階（２４Ｆ）の第２表地部９を編成する第４表糸１６が、シリンダ側の２番〜５番、１０番〜１３番の編目でニットされ、１番、６番〜９番、１４番〜１６番の編目でウエルトされて、第４表糸１６による第２表糸編成部９０を編成する。
【００６４】
第２６階（２６Ｆ）の第２表地部９を編成する第３表糸１４が、シリンダ側の５番〜８番、１３番〜１６番の編目でニットされ、１番〜４番、９番〜１２番の編目でウエルトされて、第２７段階（２７Ｆ）の第２表地部９を編成する第４表糸１６が、シリンダ側の１番〜４番、９番〜１２番の編目でニットされ、５番〜８番、１３番〜１６番の編目でウエルトされて、第４表糸１６による第２表糸編成部９０を編成する。
【００６５】
第２９段階（２９Ｆ）の第２表地部９を編成する第３表糸１４が、シリンダ側の４番〜７番、１２番〜１５番の編目でニットされ、１番〜３番、８番〜１１番、１６番の編目でウエルトされて、第３０段階（３０Ｆ）の第２表地部９を編成する第４表糸１６が、シリンダ側の１番〜３番、８番〜１１番、１６番の編目でニットされ、４番〜７番、１２番〜１５番の編目でウエルトされて、第４表糸１６による第２表糸編成部９０を編成する。
【００６６】
第３２段階（３２Ｆ）の第２表地部９を編成する第３表糸１４が、シリンダ側の３番〜６番、１１番〜１４番の編目でニットされ、１番〜２番、７番〜１０番、１５番〜１６番の編目でウエルトされ、第３３段階（３３Ｆ）の第２表地部９を編成する第４表糸１６が、シリンダ側の１番〜２番、７番〜１０番、１５番〜１６番の編目でニットされ、３番〜６番、１１番〜１４番の編目でウエルトされて、第４表糸１６による第２表糸編成部９０を編成する。
【００６７】
第３５段階（３５Ｆ）の第２表地部９を編成する第３表糸１４が、シリンダ側の２番〜５番、１０番〜１３番の編目でニットされ、１番、６番〜９番、１４番〜１６番の編目でウエルトされ、第３６段階（３６Ｆ）の第２表地部９を編成する第４表糸１６が、シリンダ側の１番、６番〜９番、１４番〜１６番の編目でニットされ、２番〜５番、１０番〜１３番の編目でウエルトされて、第４表糸１６による第２表糸編成部９０を編成する。
【００６８】
このように、第２表地部９は、４回連続してニットした第３表糸１４と、第３表糸１４に連続して４回連続してニットした第４表糸１６とを繰返単位として、第３表糸１４及び第４表糸１６をウェール方向に繰り返し編成して、それぞれ第２表糸編成部９０を形成し、これら各段階の第２表糸編成部９０をコース方向に編成することで形成される。
【００６９】
なお、第２表地部９において、４回連続してニットした第３表糸１４と、第３表糸１４に連続して４回連続してニットした第４表糸１６とを繰返単位とした理由は、裏地編成部７０の繰返単位と同じ長さ編成した部分を繰返単位とするためである。
【００７０】
１−３−３）第２レピート部５の全体構造
本実施形態では、第２レピート部５は、ウエール方向に各裏地編成部７０と各第２表糸編成部９０とを編成しながら、各裏地編成部７０と各第２表糸編成部９０とをそれぞれコース方向に編成することで、裏地部７及び第２表地部９が編成される。
【００７１】
２）本実施形態の特徴的な作用効果
以上のように構成された本実施形態の編地１を構成する裏地部７は、裏地編成部７０が、ウエルトとニットをウエール方向に交互行った構成なので、図３及び図４に示すように、編み終わった後、ニットした部分が互いに近づいてウェール方向に縮む。一方、本実施形態の編地１の表地部８，９は、第１表糸編成部８０及び第２表糸編成部９０が、いずれも連続してニットしたものなので、裏地編成部７０がウエール方向に縮むと、裏地部７と表地部８，９とを引っ掛けているウエール方向に並んだタック間の中央部分が立ち上がる。
【００７２】
また、本実施形態の編地１は、第１レピート部３では、コース方向に対して傾いた第１傾斜線３０に沿ってタックが並び、第２レピート部５では、第１傾斜線３０とは逆方向に傾いた第２傾斜線５０に沿ってタックが並ぶので、表地部８，９の中で立ち上がった頂点部分も、第１傾斜線３０又は第２傾斜線５０に沿って並ぶ。しかも、第１傾斜線３０及び第２傾斜線５０は連続している。そのため、本実施形態の編地１は、編み上がると、図５（ａ）に示すように、表地部８，９の中で立ち上がった頂点部分が、第１傾斜線３０及び第２傾斜線５０に沿ってジグザグに並ぶ。
【００７３】
しかも、本実施形態の編地１は、第１表糸編成部８０のうちウエール方向に並んだ各タック間が、第１表糸１０と第２表糸１２とで半分ずつ編成されているので、図５（ｂ）に示すように、第１傾斜線３０に沿って並んだ頂点部分の両側に第１表糸１０で形成された傾斜面１０ａと、第２表糸１２で形成された傾斜面１２ａとが形成されることになる。
【００７４】
同様に、本実施形態の編地１は、第２表糸編成部９０のうちウエール方向に並んだ各タック間が、第３表糸１４と第４表糸１６とで半分ずつ編成されているので、図５（ｃ）に示すように、第２傾斜線５０に沿って並んだ頂点部分の両側に第３表糸１４で形成された傾斜面１４ａと、第４表糸１６で形成された傾斜面１６ａとが形成されることになる。
【００７５】
したがって、本実施形態の編地１は、第１〜第４の表糸１０〜１６が異なる色の糸で構成されているので、各表糸１０〜１６で形成された各傾斜面に対向する位置から見た場合、４つの色に色が変化する。その結果、本実施形態の編地１は、多彩な色彩感覚を観者に与えることができる。
【００７６】
また、本実施形態の編地１は、タックによって裏糸１８が第１表地部８又は第２表地部９に引っ掛けられているので、編地１が編み上がった後、表側から裏糸１８が見えにくい。
［他の実施形態］
以上、実施形態について説明したが、特許請求の範囲に記載された発明は、上記実施形態に限定されることなく、種々の形態を採り得る。
【００７７】
（１）上記実施形態で説明した編地１は、４色の表糸で構成したが３色又は２色で構成してもよい。または４色以上の表糸で形成してもよい。
（２）上記実施形態では、タックによって裏糸１８を第１表地部８又は第２表地部９に引っ掛けているが、ニットによって引っ掛けてもよい。
【００７８】
（３）上記実施形態では、異なる色の表糸１０〜１６を用いたが、これらの表糸１０〜１６として異なる模様の杢糸を用いることができる。この場合、各表糸１０〜１６で形成された各傾斜面に対向する位置から見た場合、４つ模様に変化するので、これらの表糸１０〜１６で編成した編地１は、多様な模様感覚を観者に与えることができる。
【００７９】
（４）上記実施形態では、異なる色の表糸１０〜１６を用いたが、これらの表糸１０〜１６として異なる光沢の色を用いることができる。この場合、各表糸１０〜１６で形成された各傾斜面に対向する位置から見た場合、４つ光沢に変化するので、これらの表糸１０〜１６で編成した編地１は、多様な光沢感覚を観者に与えることができる。
【００８０】
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００８１】
１…編地、３…第１レピート部、５…第２レピート部、７…裏地部、８…第１表地部、
９…第２表地部、１０…第１表糸、１０ａ…傾斜面、１２…第２表糸、１２ａ…傾斜面、
１４…第３表糸、１４ａ…傾斜面、１６…第４表糸、１６ａ…傾斜面、１８…裏糸、
３０…第１傾斜線、５０…第２傾斜線、７０…裏地編成部、８０…第１表糸編成部、
９０…第２表糸編成部。
【図１】
2018193625.tif 000003
【図２】
2018193625.tif 000004
【図３】
2018193625.tif 000005
【図４】
2018193625.tif 000006
【図５】
2018193625.tif 000007